(57)【要約】【課題】薄くて人体等の生体から剥がれにくく、簡便に製造することができる生体センサを提供する。【解決手段】生体に貼着され生体データを検出する生体センサであって、一方面が生体に貼着される両面粘着体と、前記両面粘着体の他方面上に配置され、生体データを検出する検出部と、前記両面粘着体の一方面側に配置され、前記検出部と電気的に接続する電極部と、前記両面粘着体の他方面上に配置され、前記検出部及び前記両面粘着体を覆う被覆体とを備える生体センサ。【選択図】図１
2015093167.tif 000002
【特許請求の範囲】
【請求項１】
生体に貼着され生体データを検出する生体センサであって、
一方面が生体に貼着される両面粘着体と、
前記両面粘着体の他方面上に配置され、生体データを検出する検出部と、
前記両面粘着体の一方面側に配置され、前記検出部と電気的に接続する電極部と、
前記両面粘着体の他方面上に配置され、前記検出部及び前記両面粘着体を覆う被覆体とを備える生体センサ。
【請求項２】
周縁部の肉厚は、中央部の肉厚よりも薄く形成されている請求項１に記載の生体センサ。
【請求項３】
前記周縁部における前記被覆体の露出面形状は、前記中央部に向かうに従い傾斜する傾斜面である請求項２に記載の生体センサ。
【請求項４】
前記傾斜面は、湾曲面である請求項３に記載の生体センサ。
【請求項５】
前記傾斜面は、複数の平面により形成される請求項３に記載の生体センサ。
【請求項６】
平面視において、周縁の少なくとも一部は、円弧状に形成されている請求項１から５のいずれかに記載の生体センサ。
【請求項７】
前記被覆体の静摩擦係数試験法による静摩擦係数は、１．０以下である請求項１から６のいずれかに記載の生体センサ。
【請求項８】
前記被覆体の露出面側と前記両面粘着体の一方面側とを連通する連通部を備える請求項１から７のいずれかに記載の生体センサ。
【請求項９】
前記連通部は、前記被覆体及び前記両面粘着体をそれぞれ貫通する同軸の貫通孔として形成されている請求項８に記載の生体センサ。
【請求項１０】
前記検出部と前記電極部とを電気的に接続する伸縮性配線を備えている請求項１から９のいずれかに記載の生体センサ。
【請求項１１】
前記被覆体は、透湿性を有することを特徴とする請求項１から１０のいずれかに記載の生体センサ。
【請求項１２】
前記被覆体は、透湿性を有するコア部と、前記コア部の表面をコーティングする機能性コーティング層とを備えており、
前記機能性コーティング層は、撥水性層、防水性層、抗菌性層及び防汚性層からなる群より選ばれる少なくとも１種である請求項１から１０のいずれかに記載の生体センサ。
【請求項１３】
前記被覆体は、伸縮性を備えている請求項１から１２のいずれかに記載の生体センサ。
【請求項１４】
前記両面粘着体は、透湿性を有することを特徴とする請求項１から１３のいずれかに記載の生体センサ。
【請求項１５】
前記両面粘着体は、外部刺激により粘着力が低下する粘着剤組成物を含む材料から形成されている請求項１から１４のいずれかに記載の生体センサ。
【請求項１６】
前記両面粘着体は、多孔質の両面粘着体である請求項１から１５のいずれかに記載の生体センサ。
【発明の詳細な説明】
【技術分野】
【０００１】
本発明は、生体センサ、特に、生体に貼着することが可能な生体センサに関する。
【背景技術】
【０００２】
近年、例えば医療現場などにおいて、患者等の健康状態を的確に把握するために、体温、心電信号、血圧、呼吸数、発汗量等の生体データを検出する生体センサが用いられている。
【０００３】
このような生体センサは各種開発されており、例えば特許文献１に開示されているセンサが知られている。この生体センサは、人体の皮膚に貼り付けて使用されるものであり、図９に示すように、基体１０１と、当該基体１０１の一方面側に配置される電極１０２と、基体１０１の他方面側に配置されるデータ取得用モジュール１０３と、電極１０２及びデータ取得用モジュール１０３を接続する配線１０４とを備えるように構成されている。使用に際しては、電極１０２が配置される基体１０１の一方面側が皮膚に貼り付けられる。
【０００４】
ここで、基体１０１は、ジメチルビニル末端ジメチルシロキサン（ＤＳＤＴ）と、テトラメチルテトラビニルシクロテトラシロキサン（ＴＴＣ）とを重合させることにより形成されるポリジメチルシロキサン（ＰＤＭＳ；所謂シリコンゴム）により構成されるものであり、人体への貼り付け機能を発揮させつつ、基体１０１の可撓性や、データ取得用モジュール１０３の保持性を発揮させるため、ＤＳＤＴとＴＴＣとの混合比率を異ならせた各種混合液を所定の鋳型内に異なるタイミングでそれぞれ流し込み、各混合液をそれぞれ重合させながら、ＤＳＤＴとＴＴＣとの混合比率が異なるＰＤＭＳを幾重にも積層して形成される。なお、基体１０１の一方面側には粘着性を付与するため、基体１０１の一方面側に配置されるＰＤＭＳの層は、ＤＳＤＴ：ＴＴＣ＝１００：２となる混合液により形成される。
【先行技術文献】
【特許文献】
【０００５】
【特許文献１】特開２０１２−１３９３０６号公報
【発明の概要】
【発明が解決しようとする課題】
【０００６】
上述した生体センサは、人体に貼り付けられる基体がＰＤＭＳにより構成されており、使用感においては比較的優れたものではあるが、当該基体は、上述のように、ＤＳＤＴとＴＴＣとの混合比率を異ならせた各種混合液を所定の鋳型内に順次流し込んで、ＤＳＤＴとＴＴＣとの混合比率が異なるＰＤＭＳの層を幾重にも積層して構成されるものであり、基体の厚みが比較的大きくなってしまい、使用時（人体への貼り付け時）に衣服や人体の一部等に引っ掛かり、剥がれやすいという問題があった。また、ＤＳＤＴとＴＴＣとの混合比率を異ならせた各種混合液を異なるタイミングで鋳型に流し込んで形成するため、製造上の作業性が悪く、また、製造コストが高いという問題もあった。
【０００７】
本発明は、かかる問題を解決すべくなされたものであって、薄くて人体等の生体から剥がれにくく、簡便に製造することができる生体センサの提供を目的とする。
【課題を解決するための手段】
【０００８】
本発明の上記目的は、生体に貼着され生体データを検出する生体センサであって、一方面が生体に貼着される両面粘着体と、前記両面粘着体の他方面上に配置され、生体データを検出する検出部と、前記両面粘着体の一方面側に配置され、前記検出部と電気的に接続する電極部と、前記両面粘着体の他方面上に配置され、前記検出部及び前記両面粘着体を覆う被覆体とを備える生体センサ。より達成される。
【０００９】
この生体センサにおいて、周縁部の肉厚は、中央部の肉厚よりも薄く形成されていることが好ましい。また、前記周縁部における前記被覆体の露出面形状は、前記中央部に向かうに従い傾斜する傾斜面であることが好ましい。前記傾斜面は、湾曲面であってもよく、或いは、前記傾斜面が、複数の平面により形成されてもよい。
【００１０】
また、この生体センサは、平面視において、周縁の少なくとも一部は、円弧状に形成されるように構成してもよい。また、前記被覆体の静摩擦係数試験法による静摩擦係数は、１．０以下であることが好ましい。また、前記被覆体は、伸縮性を備えるように構成してもよい。また、前記被覆体の露出面側と前記両面粘着体の一方面側とを連通する連通部を備えてもよい。この連通部は、前記被覆体及び前記両面粘着体をそれぞれ貫通する同軸の貫通孔として形成してもよい。また、前記検出部と前記電極部とを電気的に接続する伸縮性配線を備えるように生体センサを構成してもよい。
【００１１】
また、前記被覆体は、透湿性を有することが好ましい。また、前記被覆体は、透湿性材料から形成されるコア部と、前記コア部の表面をコーティングする機能性コーティング層とを備え、前記機能性コーティング層が、撥水性層、防水性層、抗菌性層及び防汚性層からなる群より選ばれる少なくとも１種であるように構成してもよい。
【００１２】
また、前記両面粘着体は、透湿性を有することが好ましい。このような両面粘着体としては、多孔質の両面粘着体を例示できる。また、前記両面粘着体は、外部刺激により粘着力が低下する粘着剤組成物を含む材料から形成してもよい。
【発明の効果】
【００１３】
本発明によれば、薄くて人体等の生体から剥がれにくく、簡便に製造することができる生体センサを提供することができる。
【図面の簡単な説明】
【００１４】
【図１】本発明の一実施形態に係る生体センサの概略構成断面図である。
【図２】本発明の一実施形態に係る生体センサの平面図である。
【図３】（ａ）は、図１に示す生体センサの変形例を示す概略構成断面図であり、（ｂ）は、その平面図である。
【図４】図１に示す生体センサの他の変形例を示す概略構成断面図である。
【図５】図１に示す生体センサの更なる他の変形例を示す概略構成断面図である。
【図６】図５に示す生体センサの変形例を示す概略構成断面図である。
【図７】図１に生体センサの別の変形例を示す概略構成断面図である。
【図８】図１に生体センサの別の変形例を示す概略構成断面図である。
【図９】従来の生体センサを示す概略構成断面図である。
【発明を実施するための形態】
【００１５】
以下、本発明の実施形態にかかる生体センサ１について添付図面を参照して説明する。なお、各図は、構成の理解を容易ならしめるために部分的に拡大・縮小している。図１は、本発明の一実施形態に係る生体センサ１の概略構成断面図であり、図２は、生体センサ１の平面図である。本発明に係る生体センサ１は、脈拍数や血液中の酸素飽和度、体温、発汗量、血圧、心電信号等といった生体データを検出する機器であり、生体に貼着されて使用される。
【００１６】
この生体センサ１は、図１に示すように、両面粘着体２と、検出部３と、電極部４と、被覆体５とを備えており、図２の平面図に示すように、本実施形態においては、平面視略矩形状に形成されている。また、生体センサ１の形状としては、平面視略矩形状に限定されるものではなく、平面視楕円形状、平面視円形状等種々の形状を有してよい。
【００１７】
両面粘着体２は、その両面共に粘着性を有するシート状部材である。両面粘着体２の一方面は生体に貼着されるため、両面粘着体２を形成する材料としては、皮膚に対して、低刺激で、充分な感圧粘着性を有し、更に使用後には皮膚から容易に剥がすことができる粘着剤であれば特に制限はなく用いることができる。例えば、天然ゴム系粘着剤、合成ゴム系粘着剤、アクリル系粘着剤、ポリウレタン系粘着剤、シリコーン系粘着剤、スチレン−イソプレン−スチレン型ブロック共重合体系粘着剤等を挙げることができるが、これらに限定されるものではない。なかでもアクリル系粘着剤は、接着性が良好であるため好ましい。なお、粘度を調節するためのフィラーや顔料等を予め上述の粘着剤に混入して両面粘着体２を形成してもよい。ここで、両面粘着体２の粘着力（生体への貼着保持力）は、生体センサの利用時間に応じて適宜調整すればよい。例えば、１日で必要な生体信号を取得することができる場合には、保持力は３日間ももてば充分であり、１週間以上の保持力は不要である。また、両面粘着体２は生体表面に貼着される部材であることから、生体表面の形状に対する追随性の観点から伸縮性や柔軟性に優れる材料から形成することが好ましい。
【００１８】
検出部３は、電極部４を介して伝達される生体に関する信号を生体データとして取得する機器であり、両面粘着体２の他方面上の略中央部に配置されている。この検出部３は、両面粘着体２の他方面側における粘着機能によって両面粘着体２上に一体的に支持されている。生体に関する信号としては、例えば、脈拍数や血液中の酸素飽和度、体温、発汗量、血圧、心電信号等に関連する信号を例示することができる。検出部３は、取得される生体に関する信号の種類に応じたセンサを備えるように構成されている。例えば、脈拍検出を目的とする場合には脈拍センサを、或いは、体温検出を目的とする場合には温度センサを、発汗量検出を目的とする場合には発汗センサをというように適宜好ましいセンサを備えている。なお、検出部３が、複数種類の生体に関する信号（例えば、脈拍数、体温及び血圧等）を取得できるように、複数の各種センサを備えるように構成してもよい。また、検出部３は、取得した生体に関する信号を生体データとして記憶する記憶部や、当該生体データを外部機器に送受信可能に接続する送受信部を備えるように構成してもよい。
【００１９】
電極部４は、両面粘着体２の一方面側に配置され、両面粘着体２の他方面上に配置される検出部３と電気的に接続している。当該電極部４は、配線部材６を介して検出部３に電気的に接続されている。電極部４は、生体表面に接触し、生体から得られる生体に関する信号を検出部３に導く機能を有している。なお、配線部材６の一部は、両面粘着体２の内部に配置されており、他の一部は両面粘着体２と被覆体５との間に介在して配置されている。
【００２０】
被覆体５は、両面粘着体２の他方面上に配置され、検出部３及び両面粘着体２を覆うシート状の部材である。この被覆体５は、両面粘着体２の他方面側における粘着機能によって両面粘着体２上に一体的に支持されている。この被覆体５を形成する材料としては、例えば、ポリウレタン樹脂、ポリエチレン樹脂、ポリプロピレン樹脂、ポリ塩化ビニル樹脂、ポリアミド樹脂、エチレン・酢酸ビニル共重合体樹脂、ポリエステル樹脂、ポリビニルアルコール樹脂、ポリアクリレート樹脂、ポリカーボネート樹脂、フッソ含有共重合体樹脂、ポリスチレン樹脂、ポリ塩化ビニリデン樹脂等の高分子材料を挙げることができる。また、被覆体５は、両面粘着体２の変形に対して追随することが好ましいため、伸縮性や柔軟性に優れる材料から形成することが好ましい。
【００２１】
このような構成の生体センサ１は、その伸長性が、例えば、破断伸度が１２０％以上であることが好ましい。このような伸長性を有する生体センサ１は、体に貼り付けた後の肉体の動きによって、生体センサ１自体が破断することを効果的に抑制することができる。なお、破断伸度が５０％以下の場合、体に貼り付けた後の肉体の動きによって、生体センサ１自体が破断するおそれがある。
また、伸長性は等方性であることが好ましい。例えば、任意の一方向の破断伸度に対し、これに直交する方向の破断伸度の比が、１．０〜１．１であることが好ましい。破断伸度の比をこのような数値範囲に設定することにより、生体センサ１を体に貼り付けた後、応力によって剥がれてしまうことを効果的に防止することができる。なお、破断伸度の比が２．０を超えるような場合、体に貼り付けた後も応力によって剥がれやすくなるおそれがある。また、生体センサ１の収縮性は、収縮率が１００％であることが理想であるが、例えば、任意の一方向へ５０％伸長した時の回復率が、５０％以上であることが好ましい。さらには７０％以上であることがより好ましい。このような収縮性を有する生体センサ１は、皮膚に貼り付けた後の肉体の動きによって剥がれや浮きが発生することを極めて効果的に防止することができる。なお、回復率が３０％未満の場合、皮膚に貼り付けた後の肉体の動きによって剥がれや浮きが発生しやすくなるおそれがある。また、収縮性は等方性であることが好ましい。例えば、任意の一方向の回復率に対し、これに直交する方向の回復率の比が、１．０〜１．１であることが好ましい。回復率の比をこのような数値範囲に設定することにより、生体センサ１を体に貼り付けた後、応力によって、剥がれてしまうことを効果的に防止することができる、なお、回復率の比が２．０を超えるような場合、体に貼り付けた後も応力によって剥がれやすくなるおそれがある。
【００２２】
また、生体センサ１の透湿度は、１８００ｇ／ｍ2／ｄａｙ以上が好ましい。１０００ｇ／ｍ2／ｄａｙ未満の場合、汗による蒸れでかぶれたり、両面粘着体２の粘着力が低下し剥がれやすくなる恐れがある。また、生体センサ１の通気性は、例えば、ＪＩＳ  Ｐ８１１７に規定されるガーレー式透気度測定（ガーレー試験機法）において、１００ｍｌの空気が１５ｍｍΦの面積を抜ける時間が８０秒以下であることが好ましく、特に４０秒以下であることが好ましい。このような通気性を有する生体センサ１は、汗による蒸れでかぶれたり、両面粘着体２の粘着力が低下して剥がれやすくなることを効果的に抑制できる。
【００２３】
本実施形態に係る生体センサ１は、図１の断面図に示すように、均一な厚み（図１における上下方向の寸法）となるように形成されているが、例えば、図３（ａ）の概略構成断面図及び図３（ｂ）の平面図に示すように、生体センサ１の周縁部の肉厚（図３（ａ）における上下方向の寸法）が、周縁部によって取り囲まれる中央部の肉厚よりも薄くなるように形成してもよい。図３においては、生体センサ１の周縁部における被覆体５の露出面形状が、中央部に向かうに従い傾斜する傾斜面５１となるように構成している。また、被覆体５の周縁部における傾斜面５１は、図３に示すように複数の平面により形成してもよく、或いは、図４の概略構成断面図に示すように湾曲面状に形成してもよい。なお、図３及び図４に示す生体センサ１においては、被覆体５の中央部の露出面形状を平滑な平面となるように構成している。また、生体センサ１の周縁部の肉厚（図３（ａ）における上下方向の寸法）は、特に限定されるものではないが、２０μｍ〜１００μｍの範囲に設定することがより好ましい。このような範囲に設定する場合、物理的に引っ掛かって生体センサ１が剥がれてしまうことを防止しつつ、皮膚への追随性を良好なものにすることができる。また、ハンドリング性に優れ、皮膚への貼付前に皺や折れが発生することを効果的に回避することができ、更には、貼付時や剥離時に生体センサ端部に割れ等が発生することを防止でき、センサ部の破損を抑制することができる。
【００２４】
本実施形態に係る生体センサ１は、上述のように、生体データを取得する検出部３が両面粘着体２と被覆体５との間に介在するという比較的簡便な構成を備えているため、その製造が容易で、製造コストを低く抑えることが可能となる。また、被覆体５は、検出部３が配置される両面粘着体２の他方面側全体を覆うように構成されているため、検出部３を効果的に保護することができる。
【００２５】
また、生体センサ１の構造として、その周縁部の肉厚が、当該周縁部によって取り囲まれる中央部の肉厚よりも薄くなるように形成する場合、生体センサ１の剥離の起点となる生体センサ１の周縁高さを低く構成できるため、当該生体センサ１に衣服や寝具等が擦れた場合や、睡眠時等において無意識に生体センサ１をひっかいてしまった場合に、衣服や指等が生体センサ１に引っ掛かりにくくなり、その結果、生体センサ１が剥離することを抑制することができる。
【００２６】
特に、図３や図４に示すように、周縁部における被覆体５の露出面形状が、中央部に向かうに従い傾斜する傾斜面５１となるように構成する場合には、当該傾斜面５１が、生体センサ１に接触した指や衣服等を生体センサ１から離れる方向へと導くガイド機能を発揮するため、指等との接触によって生体センサ１が剥離することを効果的に抑制することができる。また、図４に示すように、傾斜面５１を湾曲面状に形成し、中央部の露出面と滑らかに接続するように被覆体５を構成した場合には、生体センサ１の表面上において指等が引っ掛かってしまう部位が形成されず、生体センサ１が剥離することをより一層効果的に抑制することができる。
【００２７】
以上、本発明に係る生体センサ１について説明したが、具体的構成は、上記実施形態に限定されない。上記実施形態において、両面粘着体２が、透湿性を有するように構成してもよい。例えば、数ミクロン程度の微細な孔を複数有する多孔質状に両面粘着体２を形成することにより透湿性を付与してもよい。具体的には、両面粘着体２の一方面側と他方面側とを貫通する複数の貫通孔を形成することにより、透湿性を付与することが可能となる。
【００２８】
また、被覆体５も、透湿性を有するように構成してもよい。例えば、数ミクロン程度の微細な孔を複数有する多孔質状に被覆体５を形成することにより透湿性を付与してもよい。多孔質状に被覆体５を構成するには、被覆体５の一方面側（両面粘着体２に接する側）と他方面側（露出面側）とを貫通する複数の貫通孔を形成することにより行うことができる。或いは、上述した被覆体５を形成する材料を用いて形成される樹脂フィルム（無孔質フィルム）を延伸することにより多孔質フィルムを形成し、当該多孔質フィルムを被覆体５として用いればよい。
【００２９】
また、図５に示すように、被覆体５の露出面側と両面粘着体２の一方面側とを連通する連通部７を少なくとも１以上備えるようにしてもよい。このような構成により、通気性や透湿性に優れた生体センサ１を得ることが可能となる。この結果、生体センサ１を生体に貼着した際に、生体センサ１と生体表面との間がむれることを防止して、生体センサ１が生体から剥離することを効果的に抑制することができる。また、連通部７は、図５に示すように被覆体５及び両面粘着体２をそれぞれ貫通する同軸の貫通孔として形成してもよいが、例えば、図６の断面図に示すように、被覆体５を貫通する貫通孔の軸心と、両面粘着体２を貫通する貫通孔の軸心とが、わずかにずれ、両者が同軸とならないように構成してもよい。
【００３０】
また、上記実施形態において、被覆体５が、透湿性を有するコア部と、当該コア部の表面をコーティングする機能性コーティング層とを備えるように構成してもよい。機能性コーティング層としては、撥水性層、防水性層、抗菌性層及び防汚性層からなる群より選ばれる少なくとも１種であることが好ましい。撥水性層や防水性層として機能性コーティング層を形成する場合、例えば、テトラフルオロエチレン−パーフルオロアルキルビニルエーテル共重合体（ＰＦＡ）、ポリテトラフルオロエチレン（ＰＴＦＥ）、テトラフルオロエチレン−ヘキサフルオロプロピレン共重合体（ＦＥＰ）等のフッ素樹脂材料を、撥水性層や防水性層を形成する材料として好適に用いることができる。また、抗菌性層として機能性コーティング層を形成する場合、例えば、アクリル系樹脂、塩化ビニル・酢酸ビニル系共重合体、ウレタン系樹脂などの熱可塑性樹脂をバインダーとして、当該バインダーに、銀イオンや銅イオンといった抗菌性に富む金属イオンをゼオライト等のイオン交換体にイオンを交換できるように担持させたものを添加した材料を、抗菌性層を形成する材料として用いることができる。また、防汚性層として機能性コーティング層を形成する場合、防汚性層を形成する材料としては、例えば、アクリル系樹脂材料を用いることができる。また、光触媒物質を含有する塗工液を防汚性層を形成する材料として用いることができる。
【００３１】
また、上記実施形態における被覆体５は、生体センサ１を生体に貼り付けた場合に露出する部材であり、生体センサ１の貼着位置によっては衣服や寝具等と擦れ合ってしまう部材となる。この衣服等との擦れ合いによる生体センサ１の剥離や、使用者の装着感の悪化を防止するために、被覆体５は、ＪＩＳ  Ｋ７１２５  プラスチック‐フィルム及びシート‐摩擦係数試験方法に準じる静摩擦係数試験法による静摩擦係数が、１．０以下となるように形成することが好ましい。このように被覆体５の静摩擦係数を設定することにより、被覆体５は、衣服等との滑り性が高まり、衣服等との擦れ合いによる生体センサ１の剥離を防止でき、使用者の装着感の向上を図ることができる。
【００３２】
また、上記実施形態において、検出部３と電極部４とを電気的に接続する配線部材６は、伸縮性配線によって構成してもよい。伸縮性配線は、例えば、導電性高分子、銀等の金属ナノワイヤー、カーボンナノチューブ、及び、グラフェンといった材料から形成することができる。検出部３と電極部４とを電気的に接続する配線部材６として、伸縮性配線を採用した場合、両面粘着体２や被覆体５の伸縮に追随して配線部材６も伸び縮みすることとなり、生体センサ１の貼り付け時や取り外し時といった生体センサ１の大きな変形を伴う際に、配線部材６が断線することを効果的に抑制することができる。
【００３３】
また、上記実施形態において、両面粘着体２が、麻酔成分層を備えるように構成してもよい。この麻酔成分層は、両面粘着体２の一方面に露出して配置される。麻酔成分層に含まれる麻酔成分としては、プロカイン、クロロプロカイン、テトラカイン、アミノ安息香酸エチル（ベンゾカイン）等のエステル型局所麻酔剤や、リドカイン、メピバカイン、ジブカイン、ブピバカイン、ロピバカイン、レボブピバカイン等のアミド型局所麻酔剤等を挙げることができる。このように両面粘着体２が、麻酔成分層を備えるように構成した場合、生体センサ１を生体に貼着した際の使用者の痒みや、かぶれによる痛みを和らげ、生体センサ１装着時の違和感を効果的に解消することができる。また、装着時の違和感を解消できるため、睡眠時等において無意識に生体センサ１をひっかくことを抑制できる結果、生体センサ１が剥離してしまうことを防止することができる。
【００３４】
また、上記実施形態においては、電極部４は、図１に示すように、両面粘着体２の一方面側において、その表面が露出する形態を有しているが、このような構成に特に限定されない。例えば、図７に示すように、電極部４を両面粘着体２中に埋設するように構成すると共に、両面粘着体２の一方面と電極部４との間にある両面粘着体２の一部分２１を、導電性の粘着剤により形成するようにしてもよい。このような構成であっても、生体と接触する導電性の粘着剤（両面粘着体２の一部分２１）を介して、生体から得られる生体に関する信号を電極部４、配線部材６、検出部３の順に伝達することができる。なお、導電性の粘着剤は、例えば、上述した両面粘着体２を形成する材料として例示した粘着剤に、金属微粒子や導電性高分子等の導電性材料を添加することにより形成することができる。
【００３５】
また、上記実施形態において、両面粘着体２の粘着力が、任意の領域間で不均一となるように構成してもよい。例えば、両面粘着体２の周縁部における粘着力が、周縁部に取り囲まれる中央部の粘着力よりも高くなるように構成してもよい。このような構成を採用すると、生体センサ１の剥離の起点となる生体センサ周縁での生体に対する粘着力が強固となるため、剥がれにくい生体センサ１を得ることができる。
【００３６】
また、上記実施形態においては、図２の平面図に示すように、生体センサ１の形状を平面視略矩形状に形成しているが、図８に示すように、平面視において、生体センサ１の四隅の角部１ａが円弧状となるように形成してもよい。このように、平面視において、周縁の少なくとも一部が、円弧状となるように生体センサ１を形成することにより、生体センサ１の剥離をより一層効果的に防止することができる。なお、平面視において、周縁の少なくとも一部が、円弧状となる生体センサ１とは、図８に示すような形態の他、楕円形状や円形状を含む概念である。
【００３７】
また、上記実施形態においては、両面粘着体２の粘度を調節するためのフィラーを、両面粘着体２を形成する上述の粘着剤に混入してよい旨説明したが、このようなフィラーの他、例えば、放熱性に優れるフィラーを混入して両面粘着体２を形成してもよい。放熱性に優れるフィラーとしては、例えば、熱伝導性に優れる金属フィラーを例示することができる。このように放熱性に優れるフィラーを混入して両面粘着体２を形成することにより、生体センサ１を生体に貼着した際に、生体センサ１と生体表面との間に熱がこもることを防止できる。この結果、生体センサ１貼着部位での発汗量を低減でき、生体センサ１が汗の水分によって剥離することを効果的に防止することができる。また、アクリル系ポリマー粒子などの吸湿性ポリマーを粘着剤に分散してもよい。このような粘着剤を用いて両面粘着体２を構成する場合、吸湿性ポリマーが、汗を吸収することとなり、汗による蒸れやかぶれを防ぐことができる。
【００３８】
また、上記実施形態において、両面粘着体２は、紫外線照射等の光照射、加熱、冷却又は通電などの外部刺激により粘着力が低下する粘着剤組成物を含む材料を用いて形成してもよい。このような材料により両面粘着体２を形成した場合、例えば、使用済みの生体センサ１に対して光照射、或いは、加熱や冷却、又は通電を行うことにより、両面粘着体２の粘着力を低減させて検出部を両面粘着体２から容易に分離することができ、検出部３の再利用、或いは、検出部３を構成する部品のリサイクルを容易に行うことが可能となる。また、水膨潤、乾燥などの粘着剤の含水率の変化により粘着力が低下する粘着剤組成物を含む材料を用いて形成してもよい。このように、粘着剤の含水率の変化により粘着力が低下する粘着剤組成物を含む材料から両面粘着体２を形成する場合、例えば、生体センサ１を所定期間使用し、必要な生体信号の取得が完了した後、生体センサ１を流水で濡らす、あるいはドライヤー等で乾燥させることによって、両面粘着体２の含水率が著しく変動し、粘着力が低下することによって両面粘着体２と検出部３が分離しやすい状態にすることが可能となり、検出部３の再利用、或いは、検出部３を構成する部品のリサイクルを容易に行うことが可能となる。ここで、例えば、粘着剤組成物にポリアクリル酸ナトリウムの如き吸水性に富む材料を添加して両面粘着体２を形成する場合、生体センサ１を流水で濡らすことにより水分を吸収して両面粘着体２が著しく膨潤し、両面粘着体２の保型性や凝集性が低下し、両面粘着体２の粘着力が低下することとなる。また、例えば、アクリル系ポリマーやシリコーン系の如き、あらかじめ多量の水分を含浸させたゲル粘着剤を粘着剤組成物として両面粘着体２を形成する場合、生体センサ１をドライヤー等で乾かすことにより、両面粘着体２中の水分が著しく減少してゲル粘着剤の特性を失い、両面粘着体２の粘着力が低下することとなる。また、上記の両面粘着体２の含水率変動により粘着力を低下せしめる機構については、溶媒含有率の変動により粘着力を低下せしめる機構としてもよく、例えばゴム系ポリマー粒子を両面粘着体２に分散させておき、消毒用アルコールなどの水以外の溶媒を利用し、両面粘着体２を膨潤させて粘着力を低下せしめてもよい。
【符号の説明】
【００３９】
１  生体センサ
２  両面粘着体
３  検出部
４  電極部
５  被覆体
６  配線部材
７  連通部
【図１】
2015093167.tif 000003
【図２】
2015093167.tif 000004
【図３】
2015093167.tif 000005
【図４】
2015093167.tif 000006
【図５】
2015093167.tif 000007
【図６】
2015093167.tif 000008
【図７】
2015093167.tif 000009
【図８】
2015093167.tif 000010
【図９】
2015093167.tif 000011